(57)【特許請求の範囲】
【請求項１】
燃料ガスと燃焼用空気とを混合して燃焼する全一次空気燃焼式のガスバーナを有する燃焼室と、
燃焼室における燃料ガスと燃焼用空気とが混合される混合ガス室に燃焼用空気を強制的に供給する燃焼用ファンと、
ガスバーナ近傍の燃焼温度を検出する温度検出器と、
混合ガス室への燃料ガス及び燃焼用空気の供給量を制御する制御部とを備え、
制御部は、
酸素濃度が正常な状態での定常燃焼時のガスバーナの目標燃焼温度が、燃料ガス供給量で変動する暖房能力に応じたガスバーナの最高燃焼温度よりも低く設定される目標値設定部と、
設定された暖房能力が得られるように混合ガス室への燃料ガス供給量を制御する燃焼制御部と、
酸素濃度が正常な状態での定常燃焼時における目標燃焼温度に対応する燃焼用ファンの回転数であって、前記最高燃焼温度に対応する回転数よりも高い回転数を目標回転数として設定すると共に、温度検出器で検出された燃焼温度に基づいて目標燃焼温度を維持するように燃焼用ファンの回転数を制御するファン制御部とを備え、
制御部は、
燃焼用ファンにおける目標回転数から現在の回転数を減算したときの変化量が、目標回転数から酸欠燃焼時の目標燃焼温度に対応する回転数を減算したときの酸欠変化量以上である場合、酸欠状態であると判定して燃焼を停止する温風暖房機。
【請求項２】
請求項１に記載の温風暖房機において、
制御部は、酸欠状態により燃焼停止されてからの所定時間経過により、酸欠状態が回復されたと判定するように制御する構成である温風暖房機。
【請求項３】
請求項１に記載の温風暖房機において、
室温を検出する室温検出手段を備え、
制御部は、酸欠状態により燃焼停止された時の室内の温度からの所定温度低下により、酸欠状態が回復されたと判定するように制御する構成である温風暖房機。
【請求項４】
請求項２又は３に記載の温風暖房機において、
ファン制御部は、
前記目標回転数よりも低い回転数で燃焼用ファンを回転させて定常燃焼を開始し、温度検出器で検出された燃焼温度に基づいて目標燃焼温度に低下するまで回転数を増加させていく制御を行なうと共に、
前記目標回転数よりも低い回転数の初期目標回転数を定常燃焼開始時に設定し、定常燃焼開始により増加する燃焼用ファンの回転数であって初期目標回転数から目標燃焼温度に対応する前記目標回転数に至るまでの間の回転数を経時的に変動する変動目標回転数として設定し、
制御部は、
現在設定されている変動目標回転数から現在の回転数を減算して実際の回転数変化量を算出し、この実際の回転数変化量が、最終的に安定した変動目標回転数から、酸欠状態で燃焼運転が行われた場合に燃焼温度が目標燃焼温度となる燃焼用ファンの回転数まで回転数が低下したときの酸欠変化量以上である場合、酸欠状態であると判定する一方で、酸欠により燃焼が停止されてから酸欠が回復されるまでの間に定常燃焼が開始された場合には、燃焼停止直前に設定された変動目標回転数に基づいて実際の回転数変化量を算出し、この実際の変化量が、前記酸欠変化量以上の場合、酸欠状態と判定するように制御する構成である温風暖房機。
【請求項５】
請求項１〜４の何れかに記載の温風暖房機において、
制御部は、混合ガス室に供給される燃料ガスの供給量に対応して酸欠変化量が設定されるように構成される温風暖房機。
【発明の詳細な説明】
【技術分野】
【０００１】
本発明は、燃料ガスと室内の燃焼用空気とを混合して燃焼する全一次空気燃焼式のガスバーナを有する温風暖房機に関する。
【背景技術】
【０００２】
従来、ガス温風暖房機においては、吸気口及び吹出口が設けられた本体ケース内に、吸気口及び吹出口に連通するダクトと、このダクト内に設けるガスバーナを有する燃焼室及び送風ファンとを設けたものがある。このガス温風暖房機では、送風ファンの回転動作により吸気口から室内空気をダクト内に吸引すると共に、吸引された空気の一部を燃焼室に導入して加熱した後に吸引された室温の空気と混合させて温風を吹出口から室内に吹出すことで、室内の暖房を行なうようにしている。
【０００３】
また、ガス温風暖房機などの室内で使用される燃焼機器では、燃焼運転に伴って室内の酸素濃度が低下することから、ガスバーナの燃焼面に接して熱電対(ＴＣ)を設けて、ＴＣ出力値が所定の基準電圧になったときに、バーナの燃焼を停止させる制御が行われている（例えば、特許文献１）。
【先行技術文献】
【特許文献】
【０００４】
【特許文献１】特開平２０００−１５４９１８号公報
【発明の概要】
【発明が解決しようとする課題】
【０００５】
ところで、高温・高圧状態になる燃焼室では窒素が酸化しやすく、窒素酸化物(ＮＯｘ)の発生量が増加する。このようなＮＯｘの発生を抑制するためには、局所的高温域を無くして燃焼温度を低くすることが有効とされている。即ち、低ＮＯｘ化のためには、燃料ガスと燃焼用空気とを燃焼用空気が過剰となるように予め十分に混合して燃焼させることにより、燃焼室内の温度分布を最小限に抑えることができる。従って、ガス温風暖房機においては、燃料ガスと燃焼用空気とを混合するにあたって、燃料ガスが出来るだけ希薄になるようにこれらの混合割合を制御することにより、燃焼室内で低く均一な温度分布が得られ、大幅にＮＯｘの発生を低減することが可能となる。
【０００６】
例えば酸素濃度が正常な状態(酸素濃度２１％)で暖房運転を行なう場合、空気過剰率が低くなるようにファンを低速で回転させることにより、燃料ガスの割合を増加させて燃焼温度を検出するＴＣ出力値が最高燃焼温度となる燃焼運転を行うことができるが、このような最高燃焼温度で燃焼運転を行うとＮＯｘが増加してしまう。そこで、燃焼運転時にＴＣ出力値が最高燃焼温度を示すＴＣ出力値よりも低くなるようにファンを高速で回転させれば、燃料ガスの割合が低下し、低ＮＯｘ化が図れる。
【０００７】
しかしながら、上記のような低ＮＯｘ化の制御を行うガス温風暖房機においては、ＴＣ出力値が一定になるようにファンの回転数を制御するため、酸素濃度の低下に伴って燃焼温度が低下すると、ＴＣ出力値が一定になるようにファンの回転数を低下させて、燃料ガスの割合を増加させる制御が行われることから、特許文献１に記載されているような酸欠状態をＴＣ出力で判定できないという問題がある。
【０００８】
本発明は、上記事情に鑑みてなされ、低ＮＯｘ化のために全一次空気燃焼式のガスバーナの燃焼温度が最高燃焼温度よりも低い温度で一定になるように温度検出器で検出した燃焼温度に基づいて燃焼用ファンの回転数を制御しつつ、確実に酸欠状態を判定できる温風暖房機を提供することを目的とする。
【課題を解決するための手段】
【０００９】
本発明は、
燃料ガスと燃焼用空気とを混合して燃焼する全一次空気燃焼式のガスバーナを有する燃焼室と、
燃焼室における燃料ガスと燃焼用空気とが混合される混合ガス室に燃焼用空気を強制的に供給する燃焼用ファンと、
ガスバーナ近傍の燃焼温度を検出する温度検出器と、
混合ガス室への燃料ガス及び燃焼用空気の供給量を制御する制御部とを備え、
制御部は、
酸素濃度が正常な状態での定常燃焼時のガスバーナの目標燃焼温度が、燃料ガス供給量で変動する暖房能力に応じたガスバーナの最高燃焼温度よりも低く設定される目標値設定部と、
設定された暖房能力が得られるように混合ガス室への燃料ガス供給量を制御する燃焼制御部と、
酸素濃度が正常な状態での定常燃焼時における目標燃焼温度に対応する燃焼用ファンの回転数であって、前記最高燃焼温度に対応する回転数よりも高い回転数が目標回転数として設定されると共に、温度検出器で検出された燃焼温度に基づいて目標燃焼温度を維持するように燃焼用ファンの回転数を制御するファン制御部とを備え、
制御部は、
燃焼用ファンにおける目標回転数から現在の回転数を減算したときの変化量が、目標回転数から酸欠燃焼時の目標燃焼温度に対応する回転数を減算したときの酸欠変化量以上である場合、酸欠状態であると判定して燃焼を停止する温風暖房機である。
【００１０】
上記温風暖房機によれば、温度検出器によって全一次空気燃焼式のガスバーナの燃焼温度が最高燃焼温度よりも低い温度で一定になるように検出した燃焼温度に基づいて燃焼用ファンの回転数を制御することができるから、低ＮＯｘで暖房運転が可能となる。しかも、低ＮＯｘ化のために、最高燃焼温度よりも低い目標燃焼温度が一定に保たれるように熱電対(ＴＣ)の検知結果に基づいて燃焼運転が行われても、ＴＣの出力値でなく、燃焼用ファンの回転数の変化量により酸欠状態が判定されるから、確実に酸欠燃焼を停止することができる。
【００１１】
また、上記温風暖房機において、制御部は、酸欠状態により燃焼停止されてからの所定時間経過により、酸欠状態が回復されたと判定するように制御する構成とすることが好ましい。
上記温風暖房機によれば、酸欠による燃焼停止からの時間経過に基づいて酸欠が回復されたことを容易に判定することができる。
【００１２】
また、上記温風暖房機において、室温を検出する室温検出手段を備え、制御部は、酸欠状態により燃焼停止された時の室内の温度からの所定温度低下により、酸欠状態が回復されたと判定するように制御する構成とすることが好ましい。
上記温風暖房機によれば、酸欠による燃焼停止時の室温からの室温低下状態に基づいて酸欠が回復されたことを容易に判定することができる。
【００１３】
また、酸欠による燃焼停止からの所定時間経過か、または、所定温度低下により酸欠状態の回復を判断するようにした上記温風暖房機の場合において、
ファン制御部は、前記目標回転数よりも低い回転数で燃焼用ファンを回転させて定常燃焼を開始し、温度検出器で検出された燃焼温度に基づいて目標燃焼温度に低下するまで回転数を増加させていく制御を行なうと共に、
前記目標回転数よりも低い回転数の初期目標回転数を定常燃焼開始時に設定し、定常燃焼開始により増加する燃焼用ファンの回転数であって初期目標回転数から目標燃焼温度に対応する前記目標回転数に至るまでの間の回転数を経時的に変動する変動目標回転数として設定し、
制御部は、現在設定されている変動目標回転数から現在の回転数を減算して実際の回転数変化量を算出し、この実際の回転数変化量が、最終的に安定した変動目標回転数から、酸欠状態で燃焼運転が行われた場合に燃焼温度が目標燃焼温度となる燃焼用ファンの回転数まで回転数が低下したときの酸欠変化量以上である場合、酸欠状態であると判定する一方で、酸欠により燃焼が停止されてから酸欠が回復されるまでの間に定常燃焼が開始された場合には、燃焼停止直前に設定された変動目標回転数に基づいて実際の回転数変化量を算出し、この実際の変化量が、前記酸欠変化量以上の場合、酸欠状態と判定するように制御する構成とすることが好ましい。
【００１４】
上記温風暖房機によれば、変動目標回転数を設定することにより、検出された燃焼温度に基づいて初期目標回転数である変動目標回転数から目標燃焼温度に対応する目標回転数である変動目標回転数まで変動することになるので、酸素濃度が正常な状態の定常燃焼を行なう限り、目標燃焼温度を設定するだけで、目標燃焼温度に対応する目標回転数が最終的に設定される。
しかも、酸欠により燃焼が停止されてから酸欠状態が回復するまでの間は、初期目標回転数に関係なく、酸欠による燃焼停止直前に設定された変動目標回転数に基づいて実際の回転数変化量を算出して酸欠の判断を行なうように構成されるため、酸欠により燃焼が停止してから酸欠状態が回復するまでの間に定常燃焼が開始されても、燃焼停止直前の変動目標回転数に従って定常燃焼を行なうことができるので、正確な酸欠の判断を行なうことができる。
【００１５】
また、上記温風暖房機は、制御部が、混合ガス室に供給される燃料ガスの供給量に対応して酸欠変化量が設定されるように構成されることが好ましい。
上記温風暖房機によれば、暖房能力に応じた酸欠の判定を確実に行なうことができる。
【発明の効果】
【００１６】
以上のように、本発明の温風暖房機によれば、低ＮＯｘで暖房運転を行うことができるとともに、酸欠状態も確実に回避することができる。
【図面の簡単な説明】
【００１７】
【図１】本発明の一実施形態に係る温風暖房機であるガスファンヒータの全体構成図である。
【図２】本発明の一実施形態に係るガスファンヒータの制御ブロック図である。
【図３】本発明の一実施形態に係るガスファンヒータを用いて暖房能力大で暖房運転を行なったときの、酸素濃度別の燃焼用ファンの回転数と熱電対の出力値との関係を示すグラフである。
【図４】本発明の一実施形態に係るガスファンヒータの動作フローチャートである。
【図５】本発明の一実施形態に係るガスファンヒータの動作フローチャートである。
【図６】本発明の一実施形態に係るガスファンヒータの動作フローチャートである。
【図７】本発明の一実施形態に係るガスファンヒータを用いて暖房能力小で暖房運転を行なったときの、酸素濃度別の燃焼用ファンの回転数と熱電対の出力値との関係を示すグラフである。
【発明を実施するための形態】
【００１８】
以下に、一実施形態をなす温風暖房機であるガスファンヒータについて、図面を参照しながら説明する。
【００１９】
図１を参照して、本実施の形態のガスファンヒータ１は、矩形の本体ケース１１を備える。本体ケース１１は、前面側の下方部に吹出口１２が形成されており、背面側に第１吸気口１３と、第１吸気口１３より小面積の第２吸気口１４とが形成されている。第１吸気口１３及び第２吸気口１４は、１枚のエアフィルタ１５で覆われている。エアフィルタ１５は、塵や埃等が本体ケース１１内に流入するのを防ぐために本体ケース１１に着脱自在に取り付けられている。
【００２０】
本体ケース１１内には、内部にガスバーナ４１及び対流ファン３が配置されるダクト２が配置されている。ダクト２の内部には、上方部にガスバーナ４１を備える燃焼室４が配置されており、燃焼室４の下方に対流ファン３が設けられている。
【００２１】
ダクト２は、第１吸気口１３及び吹出口１２と連通し、温風の送風路となる混合空気用通路２０を構成するものであり、ダクト２の上流側となる一方の吸入側開口部２１は本体ケース１１に形成された第１吸気口１３に対向しており、ダクト２の下流側となる他方の吹出側開口部２２は本体ケース１１の吹出口１２に対向している。吹出口１２には、その開口度合いを調節する可動式ルーバ１６が取り付けられ、可動式ルーバ１６はギヤドモータ１７によって駆動される。ギヤドモータ１７は、制御部８により駆動制御される。
【００２２】
ガスバーナ４１は、混合管部４２、多数の炎孔が形成された全一次燃焼式の燃焼プレート４３、及び燃焼プレート４３の下方に形成され、混合管部４２から燃料ガスと燃焼用空気の混合ガスが導入される混合ガス室４４を有する。そして、燃焼室４は、ガスバーナ４１と、燃焼プレート４３を囲うように配置される燃焼胴４５とを備える。燃焼胴４５の上部開口部に対向するように分流板４６が配置されている。
【００２３】
ダクト２の側方には、第２吸気口１４と連通する燃焼空気用通路５が画成されている。燃焼空気用通路５内には、ダクト２の側壁から露出するガスバーナ４１の混合管部４２が配置されている。混合管部４２の基端部には燃焼用ファン６が取り付けられている。この燃焼用ファン６は、第２吸気口１４から燃焼空気用通路５内に取り込まれた空気を燃焼用空気として吸引し、混合管部４２を介して燃焼室４の混合ガス室４４内に強制的に排出する。このように燃焼用ファン６を配置させることにより、燃焼用ファン６の回転制御により混合ガス室４４に供給する燃焼用空気の量を正確に制御でき、正確な空気過剰率で燃焼用空気を燃料ガスと混合させることができる。従って、後述するように、燃焼用ファン６の回転数の変化を監視することにより酸欠状態もより正確に判定できる。
【００２４】
燃焼用ファン６は、通電電流量に比例して回転数が変化する燃焼用ファンモータ６１と、筒に多数の小型の前向き羽根をもち、燃焼用ファンモータ６１により回転駆動される回転羽根６２とを有するシロッコファンにより構成されている。燃焼用ファン６には、その回転速度を検出するホール素子等により構成された第２回転速度センサ６３が設けられ、第２回転速度センサ６３は、燃焼用ファンモータ６１の回転速度に応じた信号を制御部８に出力する。
【００２５】
また、燃焼空気用通路５内には、ガス供給管７に介設された第１電磁弁７１、第２電磁弁７２及び比例制御弁７３と、制御部８も配置されている。第１電磁弁７１、第２電磁弁７２は、通電により開弁するものであり、開弁状態では燃料ガスをガス供給管７の先端に設けたノズル７４方向へ通過させ、通電を停止した閉弁状態では燃料ガスの通過を遮断する。比例制御弁７３は、通電電流量に比例してその開度が増大する弁であり、ガスバーナ４１への燃料ガスの供給量を調節する。第１電磁弁７１、第２電磁弁７２及び比例制御弁７３は制御部８により開弁動作が制御される。
【００２６】
さらに、燃焼用空気通路５には、本体ケース１１内における第２吸気口１４近傍に、室内温度を検出する室内温度センサ９１が設けられている。
【００２７】
ガスバーナ４１の混合管部４２内には、ガスバーナ４１に燃料ガスを供給するためのガス供給管７の下流端が挿入されている。ガス供給管７の先端部には、ノズル７４が形成され、このノズル７４から噴出する燃料ガスと、燃焼用ファン６から導入される燃焼用空気とが混合されて、燃焼室４の混合ガス室４４内に導入される。
【００２８】
また、燃焼胴４５内の燃焼プレート４３の上方には、燃焼用空気と燃料ガスとの混合ガスに点火するための点火電極４７と燃焼炎の温度を検知するための温度検知器である熱電対（ＴＣ）４８が配置されている。熱電対４８は、燃焼プレート４３の近くに配置されており、ガスバーナ４１の燃焼炎に晒されたときに、燃焼炎の温度に応じた熱起電力を発生し、該熱起電力は制御部８に出力される。
【００２９】
第２吸気口１４からは、燃焼用ファン６の作動により室内空気が本体ケース１１の燃焼空気用通路５内に吸引されて混合管部４２内に導入され、混合管部４２内に導入された燃焼用空気は燃料ガスと共にガスバーナ４１の混合ガス室４４に流れる。ガスバーナ４１の燃焼により発生する燃焼排気は、燃焼胴４５の上部に形成された開口から分流板４６に沿って流れて、ダクト２内に形成される混合空気用通路２０内に排出される。
【００３０】
そして、対流ファン３の作動によりダクト２内に第１吸気口１３から室内空気が混合用空気として吸引されると、該混合用空気とガスバーナ４１の燃焼により発生する燃焼排気とが混合され、ダクト２の吹出側開口部２２と対向する吹出口１２から混合空気が温風となって室内へ吹出される。
【００３１】
対流ファン３は、通電電流量に比例して回転数が変化する対流ファンモータ３１と、混合空気用通路２０内に吹出口１２に臨んで配置され、対流ファンモータ３１により回転駆動される回転羽根３２とを有する。対流ファン３には、その回転速度を検出するホール素子等により構成された第１回転速度センサ３３が設けられ、第１回転速度センサ３３は、対流ファンモータ３１の回転速度に応じた信号を制御部８に出力する。
【００３２】
図１には略して記載されているが、本体ケース１１の上面部に運転スイッチ９２、温度設定スイッチ９３、液晶モニタからなる報知部９４等を有する操作部１８が設けられている。運転スイッチ９２は、使用者によりオン／オフ操作され、暖房運転制御の開始と停止を制御部８に指示する。室温設定器である温度設定スイッチ９３は、室温の希望温度を設定するものであり、使用者の操作により、希望温度が例えば１℃ずつ増減される。設定された希望温度は直ちに制御部８に伝達される。報知部９４は、制御部８から出力される情報が表示されるのであって、特に、酸欠状態になったときは、酸欠であることを示すエラーが表示される。なお、報知部９４は、モニタに限らず、酸欠などのエラーを示すランプやスピーカーにより構成することもできる。
【００３３】
また、制御部８は、熱電対４８、室内温度センサ９１等の各検出器から入力された信号に基づいて対流ファン３及び燃焼用ファン６の回転制御とガスバーナ４１の燃焼制御を行なう。
【００３４】
次に、図２を参照して制御部８の構成について説明する。制御部８はマイクロコンピュータ等を用いて構成されたものであり、目標値設定部８１、燃焼制御部８２及びファン制御部８３を備える。
【００３５】
目標値設定部８１では、酸素濃度が正常な状態（酸素濃度２１％）での定常燃焼を維持するためのガスバーナ４１の目標燃焼温度（目標ＴＣ出力値）が、低ＮＯｘ化が図れるように最高燃焼温度よりも低く設定される。即ち、目標燃焼温度（目標ＴＣ出力値）は、ガスバーナ４１が暖房能力に応じて最高燃焼温度を示す最高ＴＣ出力値（本実施の形態では、暖房能力大のときにＴＣ出力値２４ｍＶ、暖房能力小のときにＴＣ出力値２７ｍＶ）よりも低く設定される。本実施形態では、目標ＴＣ出力値は、暖房能力大の場合はＴＣ出力値１５ｍＶ、暖房能力小の場合はＴＣ出力値１８ｍＶに設定されている。目標燃焼温度（目標ＴＣ出力値）の設定は、操作部１８において使用者により設定されてもよいし、予めガスファンヒータ１を製造する工場において設定されてもよい。
【００３６】
燃焼制御部８２は、設定温度と室内温度センサ９１の検出温度とが略一致するようにガスバーナ４１の目標ガス燃焼量を決定し、目標ガス燃焼量でガスバーナ４１が燃焼するようにガス供給管７に設けられた第１電磁弁７１、第２電磁弁７２、比例制御弁７３や、点火電極４７を通電制御することで、ガスバーナ４１の点火・消火、燃焼量の調節（燃料ガスの供給量の調節）等を行う。混合ガス室４４への燃料ガス供給量の制御は、使用者が希望する暖房能力や温調運転に応じて比例制御弁７３の開度が調整されることにより行なわれる。
【００３７】
さらに、燃焼制御部８２は、室内温度センサ９１の検出温度が、所定の運転中断温度まで上昇したときに、ガスバーナ４１の目標ガス燃焼量を０としてガスバーナ４１の燃焼運転を停止し、停止後、室内温度センサ９１の検出温度が所定の運転再開温度以下に下降したときに、ガスバーナ４１の燃焼運転を再開させる温調制御も行う。また、燃焼運転により室内が酸欠状態（酸素濃度１７％）となったときには、燃焼制御部８２は、第１電磁弁７１、第２電磁弁７２、比例制御弁７３を閉じて、ガスバーナ４１の燃焼運転を停止する制御も行なう。
【００３８】
ファン制御部８３は、熱電対４８で検出されたＴＣ出力値に基づいて、目標燃焼温度である目標ＴＣ出力値を維持するように燃焼用ファン６の回転数を制御する。
即ち、既述した目標燃焼温度でガスバーナ４１が燃焼するよう、混合ガス室４４内における燃料ガスと燃焼用空気との混合時に、燃料ガスの割合を低下させ、空気過剰の状態とするため、酸素濃度２１％の正常な状態における定常燃焼時の目標ＴＣ出力値に対応する燃焼用ファン６の最終的に安定する目標回転数が、最高燃焼温度に対応する回転数（本実施の形態では、暖房能力大のときに２８００ｒｐｍ、暖房能力小のときに１０００ｒｐｍ）よりも高く設定される。本実施形態では、燃焼ファン６の正常な状態における定常燃焼状態時の安定な目標回転数は、暖房能力大の場合は目標ＴＣ出力値１５ｍＶに対応する４８００ｒｐｍに、暖房能力小の場合は目標ＴＣ出力値１８ｍＶに対応する１４００ｒｐｍに設定される。目標回転数の設定については後で詳述する。
【００３９】
なお、正常な状態における定常燃焼時の燃焼用ファン６の目標燃焼温度に対応する目標回転数は、空気過剰率が１．５以上２．０以下になるように、例えば、暖房能力大のときに、燃焼用ファン６の回転数は４５００〜６０００ｒｐｍの範囲で設定されてもよい。このように空気過剰率を設定することで、窒素酸化物の発生を抑えた暖房運転が可能となる。
【００４０】
また、ファン制御部８３は、燃焼制御部８２により設定された暖房能力に応じて、ガスバーナ４１への燃焼用空気の供給量及び第１吸気口から導入される混合用空気の供給量を制御するために、対流ファンモータ３１及び燃焼用ファンモータ６１へ供給する電流量を調節する。即ち、設定された暖房能力で暖房運転が行なわれるように、第１回転速度センサ３３及び第２回転速度センサ６３により対流ファンモータ３１及び燃焼用ファンモータ６１の回転速度(回転数)を検出して、各ファンモータ３１，６１への供給電流量を調節する。
【００４１】
回転数記憶部８４は、ファン制御部８３に設けられ、対流ファン３の対流ファンモータ３１及び燃焼用ファン６の燃焼用ファンモータ６１の駆動中の回転数を経時的に記憶するようになっている。対流ファンモータ３１及び燃焼用ファンモータ６１の回転数は、第１回転速度センサ３３及び第２回転速度センサ６３により検出される回転速度に基づいて求められる。また、本実施形態では、後述するように、目標回転数(変動目標回転数)が変動するように制御され、回転数記憶部８４は、後述する初期目標回転数(暖房能力大の場合はＲａ：３０００ｒｐｍ、暖房能力小の場合はＲｆ：８５０ｒｐｍ)を予め記憶し、変更されるごとに変動目標回転数を記憶するようになっている。
【００４２】
さらに、ファン制御部８３は、酸素濃度低下によりＴＣ出力値が低下すると、目標ＴＣ出力値となるように、燃焼ファン６の回転数を低下させ、さらに酸欠燃焼(酸素濃度１７％）となるまで酸素濃度が低下し、その時点で設定されている変動目標回転数から現在の回転数への変化量が所定の酸欠変化量以上となったときに、燃焼制御部８２に燃焼停止信号を出力するとともに、燃焼用ファン６を停止する。
【００４３】
次に、図３及び図７の酸素濃度別の燃焼用ファンの回転数と熱電対の出力値との関係を示すグラフと、図４から図６のフローチャートとを参照して、制御部８による、温風暖房機の酸欠判定制御動作について説明する。
【００４４】
暖房運転の開始のために使用者が運転スイッチ９２をＯＮ操作すると（ステップＳ１１）、燃焼制御部８２は、第１電磁弁７１及び第２電磁弁７２を開弁するとともに、比例制御弁７３を開度が最大となるように開弁し、ファン制御部８３は、対流ファンモータ３１及び燃焼用ファンモータ６１を回転させて対流ファン３及び燃焼用ファン６を駆動させる（ステップＳ１２）。このとき燃焼用ファン６は、点火回転数２８００ｒｐｍで回転される。そして。点火電極４７に通電してガスバーナ４１の点火を行い、ガスバーナが点火される（ステップＳ１３）。
【００４５】
ガスバーナ４１が点火されると、現在のＴＣ出力値が５ｍＶ以上になっているかどうかが熱電対４８の検出結果に基づいて判断される（ステップＳ１４）。ＴＣ出力値が５ｍＶ以上になっている場合には（ステップＳ１４でＹｅｓ）、ガスバーナ４１が点火されたとして点火電極４７への通電が停止され、燃焼用ファン６を、燃焼初期運転回転数３６００ｒｐｍで回転させ、燃焼初期運転に入る（ステップＳ１５）。
【００４６】
燃焼初期運転が開始されると、ＴＣ出力値が１６ｍＶ以上になったか否かの判定が行なわれ(ステップＳ１６）、１６ｍＶ以上になっている場合には、比例制御弁７３の開度を大きくした状態で、燃焼用ファン６が酸素濃度が正常な状態での目標燃焼温度に対応する変動目標回転数４８００ｒｐｍよりも低い３８００ｒｐｍで回転され、同時にタイマーが０秒からカウントを開始して、暖房能力大の燃焼運転で、ＴＣ出力値を一定に維持する定常燃焼運転が開始される（ステップＳ１７）。
【００４７】
暖房能力大の定常燃焼運転が開始されると、まず、現在のＴＣ出力値が目標ＴＣ出力値（本実施形態では１５ｍＶ）を超えているか否かの判定が行なわれる（ステップＳ１８）。現在のＴＣ出力値が目標ＴＣ出力値を超えている場合には（ステップＳ１８でＹｅｓ）、現在のＴＣ出力値を目標ＴＣ出力値まで下げるために、現在の燃焼用ファン６の回転数にｘｒｐｍ（本実施形態では１ｒｐｍ）を加算して、燃焼用ファン６の回転数を増加させる（ステップＳ１９）。増加された回転数が制御部８の回転数記憶部８４に記憶される。
【００４８】
燃焼用ファン６の回転数が変更されると、変更後の燃焼用ファン６の回転数が回転数記憶部８４に記憶されている変動目標回転数を超えるか否かの判定が行なわれる（ステップＳ２０）。暖房能力大における定常燃焼運転開始時の変動目標回転数は、初期目標回転数(Ｒａ：３０００ｒｐｍ)に設定されているが、目標ＴＣ出力値に対して安定なＴＣ出力値が得られるまで変動目標回転数は変更されて、回転数記憶部８４に記憶されていく。従って、変更後の回転数がその時点で設定されている変動目標回転数以下の場合にはその変動目標回転数が維持され（ステップＳ２１）、変更後の回転数がその時点で設定されている変動目標回転数より大きい場合には（ステップＳ２０でＹｅｓ）、タイマーが定常燃焼運転に入ってからｔ分（本実施形態では２分）経過したか否かの判定が行なわれる（ステップＳ２２）。そして、ｔ分が経過していない場合にはそれまでの変動目標回転数が維持され（ステップＳ２１）、ｔ分が経過された場合には、変動目標回転数をステップＳ１９で変更した回転数に変更し、変更した変動目標回転数が回転数記憶部８４に記憶される（ステップＳ２３）。
【００４９】
図３の実線に示すように、本実施形態では、定常燃焼運転が開始された時の燃焼用ファン６の回転数（Ｒｂ：３８００ｒｐｍ）は、初期目標回転数(Ｒａ：３０００ｒｐｍ)よりも大きく、しかも、このときのＴＣ出力値（Ｖｂ：２０ｍＶ）は目標ＴＣ出力値（Ｖｃ：１５ｍＶ）より高いので（ステップＳ１８でＹｅｓ）、目標ＴＣ出力値（１５ｍＶ）より大きいＴＣ出力値が、３８００ｒｐｍから１ｒｐｍずつ回転数が増加しながらｔ分経過するまで続くと、ステップＳ２３で３８００ｒｐｍよりも大きい変更後の回転数が変動目標回転数に変更される。そして、ＴＣ出力値が目標ＴＣ出力値(Ｖｃ)１５ｍＶに対して±０．５ｍＶの範囲で最終的に安定するまで、燃焼用ファン６の回転数を増加する制御が行われ、本実施形態では、最終的にはほぼ４８００ｒｐｍ(Ｒｃ)で回転数が安定される。
【００５０】
また、ステップＳ１８において現在のＴＣ出力値が目標ＴＣ出力値以下である場合、又は、ステップＳ２１において変動目標回転数が維持された場合、又は、ステップＳ２３において変更後の回転数に変動目標回転数が変更された場合には、次に、現在のＴＣ出力値が目標ＴＣ出力値より小さいか否かの判定が行なわれる（ステップＳ２４）。
【００５１】
現在のＴＣ出力値が目標ＴＣ出力値以上の場合には（ステップＳ２４でＮｏ）、暖房能力の変更や器具の停止の必要が無ければ後述するステップＳ３４及びステップＳ３５を経てステップＳ１８に戻り、暖房能力大の定常燃焼運転を続行する。酸素濃度が正常な状態の場合には、定常燃焼運転が開始された時点でのＴＣ出力値（Ｖｂ）は目標ＴＣ出力値（Ｖｃ）よりも高いので、燃焼用ファン６の回転数が増加され、熱電対４８で検出されるＴＣ出力値が目標ＴＣ出力値（Ｖｃ）となるまでは、ステップＳ２４において、ステップＳ１８に戻る制御が行なわれる。このように、最高燃焼温度を示すＴＣ出力値で燃焼運転を行わず、ＴＣ出力値が最高燃焼温度を示すＴＣ出力値よりも低くなるように燃焼用ファン６を高速で回転させて、混合ガス室４４内における燃料用空気の割合を増加させた状態とすることにより、低ＮＯｘ化を図ることができる。
【００５２】
そして、燃焼用ファン６の回転数が最終的にほぼ４８００ｒｐｍ(Ｒｃ)で安定するように、定常燃焼運転時に、現在のＴＣ出力値が目標ＴＣ出力値より小さくなった場合には（ステップＳ２４でＹｅｓ）、目標ＴＣ出力値（Ｖｃ）となるようにＴＣ出力値を上げるために、現在の燃焼用ファン６の回転数をｘｒｐｍ（１ｒｐｍ）を低下させる（ステップＳ２５）。これにより、燃料ガスの割合を増加させて、燃焼温度を上げることができ、ＴＣ出力値が一定に保たれる。なお、定常燃焼運転時に、燃焼用ファン６の回転数が最終的に安定した後、室内の酸素濃度が低下して燃焼温度が低下した場合にも、同様に目標ＴＣ出力値（Ｖｃ）となるようにＴＣ出力値を上げるために、現在の燃焼用ファン６の回転数を低下させる制御が行なわれる。
【００５３】
ステップＳ２５で、燃焼用ファン６の回転数がｘｒｐｍ下がるように変更されると、変更された回転数が制御部８の回転数記憶部８４に記憶される。次に、回転数記憶部８４に記憶される回転数のデータに基づき、燃焼用ファン６のその時点で設定されている変動目標回転数から変更後の燃焼用ファン６の回転数までの変化量が、燃焼用ファン６の最終的に安定した変動目標回転数（本実施形態では４８００ｒｐｍ）から、酸欠状態（酸素濃度１７％）で燃焼運転が行われた場合に、ＴＣ出力値が目標ＴＣ出力値（１５ｍＶ）となる燃焼用ファン６の回転数（３６００ｒｐｍ）まで回転数が低下した場合の所定の酸欠変化量（１２００ｒｐｍ）を超えるか否かの判定が行なわれる（ステップＳ２６）。なお、回転数記憶部８４には、図３の細破線に示す酸欠状態（酸素濃度１７％）で燃焼運転が行われた場合に、ＴＣ出力値が目標ＴＣ出力値（１５ｍＶ）となる燃焼用ファン６の回転数（Ｒｅ：３６００ｒｐｍ）も記憶されている。
【００５４】
酸素濃度の低下に伴って、熱電対４８で検知される燃焼温度が低下することから、ＴＣ出力値を目標ＴＣ出力値とするためには混合ガス室４４における燃焼用空気の割合を低下させ、燃料ガスの割合を増加させる必要がある。そのため、図３に示すように、酸素濃度が正常状態（酸素濃度２１％）の定常燃焼状態における実線上のｘ１から酸素濃度が低下した状態の燃焼状態を示す太破線のｙ１、さらに酸欠状態の燃焼状態を示す細破線のｚ１におけるＴＣ出力値が目標ＴＣ出力値（１５ｍＶ）となるように、燃焼用ファン６の回転数がＲｃ→Ｒｄ→Ｒｅと低下していき、燃焼用ファン６の回転数と正常な状態の定常燃焼状態における燃焼ファン６の最終的に安定する変動目標回転数（４８００ｒｐｍ）との差が増加していく。
【００５５】
従って、燃焼用ファン６の回転数の変化量が、酸欠変化量以上となった場合には（ステップＳ２６でＹｅｓ）、室内が酸欠状態であると判定され、図５に示すように、燃焼制御部８２は、第１電磁弁７１、第２電磁弁７２及び比例制御弁７３を閉弁し、ファン制御部８３は、対流ファンモータ３１及び燃焼用ファンモータ６１を停止させて対流ファン３及び燃焼用ファン６を停止し、ガスバーナ４１の燃焼が停止される（ステップＳ２７）。
【００５６】
ステップＳ２７で燃焼が停止されると、酸欠と判断されて器具が停止されたのか否かの判定が行なわれ（ステップＳ２８）、酸欠により器具が停止された場合には（ステップＳ２８でＹｅｓ）、報知部９４は室内が酸欠状態になっていることを報知する（ステップＳ２９）。また、運転スイッチがＯＦＦされて器具が停止された場合には（ステップＳ２８でＮｏ）報知しない。そして、燃焼停止から３０分経過するまでは、暖房運転の制御は続行されて（テップＳ３０でＮｏ）、燃焼停止直前に設定された最終的に安定した変動目標回転数（暖房能力大の場合は４８００ｒｐｍ、後述する暖房能力小の運転が行なわれていた場合は１４００ｒｐｍ）が維持される（ステップＳ３１）。
【００５７】
そして、３０分が経過するまでに、運転スイッチ９２がＯＮされると（ステップＳ３２でＹｅｓ）、図４のステップＳ１２に戻って、ガスバーナ４１の点火が行なわれる。定常燃焼運転に入ると、変動目標回転数は、暖房能力大の場合は４８００ｒｐｍで、暖房能力小の運転が行なわれていた場合は１４００ｒｐｍで維持された状態で、燃焼用ファン６の回転数の増減の判定を行う制御がなされる。
【００５８】
そして、燃焼停止から３０分経過するまで、運転スイッチ９２がＯＮされなかった場合には(ステップＳ３０でＹｅｓ）、回転数記憶部８４に記憶される変動目標回転数が、暖房能力大の場合は３０００ｒｐｍに、暖房能力小の場合は８５０ｒｐｍにリセットされて（ステップＳ３２）、暖房運転が終了される。
【００５９】
また、ステップＳ２６で、燃焼用ファン６の回転数の変化量が、所定の酸欠変化量未満の場合には（ステップＳ２６でＮｏ）、使用者の運転切替えや室内温度センサ９１に基づく温調運転により暖房能力が小さくなるように暖房能力大から暖房能力小に切り換えられたか否かの判定が行なわれる（ステップＳ３４）。暖房能力が切り換えられていない場合には（ステップＳ３４でＮｏ）、運転スイッチ９２が切られたか否かの判定が行なわれ（ステップＳ３５）、運転スイッチ９２が切られていない場合には（ステップＳ３５でＮｏ）、ステップＳ１８に戻って暖房能力大の定常燃焼運転を続行する。運転スイッチ９２が切られた場合には（ステップＳ３５でＹｅｓ）、図５のステップＳ２７〜Ｓ３３と同じ燃焼を停止する制御が行なわれる。
【００６０】
ステップＳ３４で暖房能力が小さくなるように切り換えられている場合には（ステップＳ３４でＹｅｓ）、図６に示すように、比例制御弁７３の開度を小さくした状態で、燃焼用ファン６を酸素濃度が正常な状態での目標燃焼温度に対応する変動目標回転数１４００ｒｐｍよりも低い１０００ｒｐｍで回転させ、同時にタイマーが０秒からカウントを開始して、暖房能力小の燃焼運転においてＴＣ出力値を一定に維持する定常燃焼運転が開始される（ステップＳ４１）。
【００６１】
暖房能力小の定常燃焼運転が開始されると、燃料ガスの供給量が少なくなり、しかも、燃焼用ファン６は暖房能力小のときの空気過剰率が約０．９となる１０００ｒｐｍで回転させるので、燃焼プレート４３上に形成される炎が小さくなり、熱電対４８が燃焼プレート４３に近接して設けられている本実施の形態のガスバーナ４１では、図７の実線に示すように、酸素濃度２１％で定常燃焼運転が行われると、ＴＣ出力値は直ぐに２５ｍＶ以上となる。
【００６２】
この暖房能力小の定常燃焼運転においては、暖房能力大の定常燃焼運転と同様の制御が行われ、まず、現在のＴＣ出力値が目標ＴＣ出力値（本実施形態では１８ｍＶ）を超えているか否かの判定が行なわれる（ステップＳ４２）。現在のＴＣ出力値が目標ＴＣ出力値を超えている場合には（ステップＳ４２でＹｅｓ）、現在のＴＣ出力値を目標ＴＣ出力値まで下げるために、現在の燃焼用ファン６の回転数にｘｒｐｍ（本実施形態では１ｒｐｍ）を加算して、燃焼用ファン６の回転数が増加される（ステップＳ４３）。増加された回転数が制御部８の回転数記憶部８４に記憶される。
【００６３】
燃焼用ファン６の回転数が変更されると、変更後の燃焼用ファン６の回転数が回転数記憶部８４に記憶されている変動目標回転数を超えるか否かの判定が行なわれる（ステップＳ４４）。暖房能力小における定常燃焼運転開始時の変動目標回転数は、初期目標回転数(Ｒｆ：８５０ｒｐｍ)に設定されているが、目標ＴＣ出力値に対して安定なＴＣ出力値が得られるまで変動目標回転数は変更されて、回転数記憶部８４に記憶されていく。従って、変更後の回転数がその時点で設定されている変動目標回転数以下の場合にはその変動目標回転数が維持され（ステップＳ４５）、変更後の回転数がその時点で設定されている変動目標回転数より大きい場合には（ステップＳ４４でＹｅｓ）、タイマーが定常燃焼運転に入ってからｔ分（本実施形態では２分）経過したか否かの判定が行なわれる（ステップＳ４６）。ｔ分が経過されていない場合にはそれまでの変動目標回転数が維持され（ステップＳ４５）、ｔ分が経過された場合には、変動目標回転数をステップＳ４３で変更した回転数に変更し、変更した変動目標回転数が回転数記憶部８４に記憶される（ステップＳ４７）。
【００６４】
図７の実線に示すように、本実施形態では、暖房能力小の定常燃焼運転が開始された時の燃焼用ファン６の回転数（Ｒｇ：１０００ｒｐｍ）は、初期目標回転数(Ｒｆ：８５０ｒｐｍ)よりも大きく、しかも、このときのＴＣ出力値（Ｖｇ：２７ｍＶ）は目標ＴＣ出力値（Ｖｈ：１８ｍＶ）より高いので（ステップＳ４２でＹｅｓ）、ファン回転数が１０００ｒｐｍから１ｒｐｍずつ増加しながらｔ分経過するまで続くと、ステップＳ４７で変動目標回転数は１０００ｒｐｍよりも大きい変更後の回転数に変更される。そして、ＴＣ出力値が目標ＴＣ出力値(Ｖｈ)１８ｍＶに対して±０．５ｍＶの範囲で安定するまで、燃焼用ファン６の回転数を増加する制御が行われ、本実施形態では、最終的には１４００ｒｐｍ（Ｒｈ）で回転数が安定される。
【００６５】
また、ステップＳ４２において現在のＴＣ出力値が目標ＴＣ出力値以下である場合、又は、ステップＳ４５においてそれまでの変動目標回転数が維持された場合、又は、ステップＳ４７において変更後の回転数に変動目標回転数が変更された場合には、次に、現在のＴＣ出力値が目標ＴＣ出力値より小さいか否かの判定が行なわれる（ステップＳ４８）。
【００６６】
現在のＴＣ出力値が目標ＴＣ出力値以上の場合には（ステップＳ４８でＮｏ）、暖房能力の変更や器具の停止の必要が無ければ後述するステップＳ５１及びステップＳ５２を経てステップＳ４２に戻り、暖房能力小の定常燃焼運転を続行する。酸素濃度が正常の場合には、暖房能力小の定常燃焼運転が開始された時点でのＴＣ出力値（Ｖｇ）は目標ＴＣ出力値（Ｖｈ）よりも高いので、燃焼用ファン６の回転数が増加され、熱電対４８で検出されるＴＣ出力値が目標ＴＣ出力値(Ｖｈ)となるまでは、ステップＳ４８において、ステップＳ４２に戻る制御が行なわれる。これにより、低ＮＯｘ化を図ることができる。
【００６７】
そして、燃焼用ファン６の回転数が最終的にほぼ１４００ｒｐｍ(Ｒｃ)で安定するように、定常燃焼運転時に、現在のＴＣ出力値が目標ＴＣ出力値より小さくなった場合には（ステップＳ４８でＹｅｓ）、目標ＴＣ出力値（Ｖｈ）となるようにＴＣ出力値を上げるために、現在の燃焼用ファン６の回転数をｘｒｐｍ（１ｒｐｍ）低下させる（ステップＳ４９）。これにより、ＴＣ出力値が一定に保たれる。なお、暖房能力小の定常燃焼運転時の場合も、燃焼用ファン６の回転数が最終的に安定した後、室内の酸素濃度が低下して燃焼温度が低下した場合、同様に目標ＴＣ出力値（Ｖｈ）となるようにＴＣ出力値を上げるために、現在の燃焼用ファン６の回転数を低下させる制御が行なわれる。
【００６８】
ステップＳ４９で、燃焼用ファン６の回転数がｘｒｐｍ下がるように変更されると、変更された回転数が制御部８の回転数記憶部８４に記憶される。次に、回転数記憶部８４に記憶される回転数のデータに基づき、燃焼用ファン６のその時点で設定されている変動目標回転数から変更後の燃焼用ファン６の回転数までの変化量が、燃焼用ファン６の最終的に安定した変動目標回転数（本実施形態では１４００ｒｐｍ）から、酸欠状態（酸素濃度１７％）で燃焼運転が行われた場合に、ＴＣ出力値が目標ＴＣ出力値（１８ｍＶ）となる燃焼用ファン６の回転数（１１００ｒｐｍ）まで回転数が低下した場合の所定の酸欠変化量（３００ｒｐｍ）を超えるか否かの判定が行なわれる（ステップＳ５０）。なお、回転数記憶部８４には、図７の細破線に示す酸欠状態（酸素濃度１７％）で燃焼運転が行われた場合に、ＴＣ出力値が目標ＴＣ出力値（１８ｍＶ）となる燃焼用ファン６の回転数（Ｒｊ：１１００ｒｐｍ）も記憶されている。
【００６９】
これにより、図７に示すように、酸素濃度が正常な状態（酸素濃度２１％）の定常燃焼状態における実線上のｘ２から酸素濃度が低下した状態の燃焼状態を示す太破線のｙ２、さらに酸欠状態の燃焼状態を示す細破線のｚ２におけるＴＣ出力値が目標ＴＣ出力値（１８ｍＶ）となるように、燃焼用ファン６の回転数がＲｈ→Ｒｉ→Ｒｊと低下していき、燃焼用ファン６の回転数と正常な状態の定常燃焼状態における燃焼ファン６の最終的に安定する変動目標回転数（１４００ｒｐｍ）との差が増加していく。
【００７０】
従って、燃焼用ファン６の回転数の変化量が、酸欠変化量以上となった場合には（ステップＳ５０でＹｅｓ）、暖房能力大の燃焼運転時と同様に、図５に示すように、室内が酸欠状態であると判定し、燃焼制御部８２は、第１電磁弁７１、第２電磁弁７２及び比例制御弁７３を閉弁し、ファン制御部８３は、対流ファンモータ３１及び燃焼用ファンモータ６１を停止させて対流ファン３及び燃焼用ファン６を停止し、ガスバーナ４１の燃焼が停止される（ステップＳ２７）。そして、図５のステップＳ２８〜Ｓ３３と同じ燃焼を停止する制御を行なう。
【００７１】
また、ステップＳ５０で、燃焼用ファン６の回転数の変化量が、所定の酸欠変化量未満の場合には（ステップＳ５０でＮｏ）、使用者の運転切替えや室内温度センサ９１に基づく温調運転により暖房能力を大きくするように切り換えられたか否かの判定が行なわれる（ステップＳ５１）。暖房能力が切り換えられていない場合には（ステップＳ５１でＮｏ）、運転スイッチ９２が切られたか否かの判定が行なわれ（ステップＳ５２）、運転スイッチ９２が切られていない場合には（ステップＳ５２でＮｏ）、ステップＳ４２に戻って暖房能力小の定常燃焼運転を続行する。運転スイッチ９２が切られた場合には（ステップＳ５２でＹｅｓ）、図５のステップＳ２７〜Ｓ３３と同じ燃焼を停止する制御を行なう。
【００７２】
本実施形態では、変動目標回転数が初期目標回転数から目標燃焼温度に対応する回転数まで変動するように制御しているので、酸素濃度が正常な状態の定常燃焼を行なう限り、目標燃焼温度を設定するだけで、目標燃焼温度に対応する目標回転数が最終的に設定される。
さらに、変動目標回転数は、初期目標回転数から変動するように制御されるため、本実施形態では、酸欠により燃焼用ファン６が停止され、かつ、燃料ガスの供給が停止されてから、酸欠状態が回復する３０分が経過するまでの間は、変動目標回転数は酸欠になって燃焼停止される直前に設定された安定時の変動目標回転数が維持されるように構成されている。このため、酸欠により燃焼が停止してから酸欠状態が回復するまでは、燃焼停止直前の最終的に安定した時の変動目標回転数に従って定常燃焼を行なうことができるので、酸欠状態が回復する前に燃焼が再開されても、正確な酸欠の判断を行なうことができる。
【００７３】
尚、本実施形態では、燃焼用ファン６の回転数の増減を１ｒｐｍずつ行なうように制御したが、回転数の増減はこれに限られるものではない。また、目標回転数は、変動させるのではなく、例えば暖房能力大の場合には目標ＴＣ出力値（１５ｍＶ）を得るための４８００ｒｐｍに固定し、暖房能力小の場合には目標ＴＣ出力値（１８ｍＶ）を得るための１４００ｒｐｍに固定するようにしてもよい。さらに、暖房能力は２段階だけでなく、３段階以上で制御してもよい。また、本実施の形態では、酸欠状態が判定された場合に、燃焼用ファン６も停止しているが、燃焼制御部８２により、第１電磁弁７１、第２電磁弁７２、比例制御弁７３を閉じるだけで、ガスバーナ４１の燃焼を停止し、燃焼用ファン６を継続して回転させてもよい。
【００７４】
さらに、本実施形態では、酸欠の回復を時間の経過で判定したが、酸欠状態により燃焼停止された時の室温からの所定温度低下により、酸欠状態が回復されたと判定するように制御部８において制御する構成とすることもできる。
【００７５】
本発明は上記実施形態に制約されず、種々の態様が可能である。例えば、対流ファンは、ダクト２内における第１吸気口１と燃焼室４との間の第１吸気口１の近くに設けるようにしてもよい。
【符号の説明】
【００７６】
１  ガスファンヒータ
１１  本体ケース
１８  操作部
３  対流ファン
４  燃焼室
４１  ガスバーナ
４３  燃焼プレート
４４  混合ガス室
４７  点火電極
４８  熱電対(温度検出器)
６  燃焼用ファン
８  制御部
８１  目標値設定部
８２  燃焼制御部
８３  ファン制御部
８４  回転数記憶部
【図１】
0005443264.tif 000002
【図２】
0005443264.tif 000003
【図３】
0005443264.tif 000004
【図４】
0005443264.tif 000005
【図５】
0005443264.tif 000006
【図６】
0005443264.tif 000007
【図７】
0005443264.tif 000008